(57)【要約】【課題】換気扉の操作性を高めることの可能な換気扉の開閉機構を提供する。【解決手段】換気扉Ｗの開動、および、閉動と連動するストライカ２５と、ストライカ２５が摺動する摺動部、コイルばね２３を保持する保持部２４Ｈ、および、ダンパー２６と当接する当接部を有して、ストライカ２５の動きと連動するカム２４と、換気扉Ｗを開位置、および、閉位置に保持するための付勢力をカム２４に加える前記コイルばね２３と、換気扉Ｗが少なくとも閉動するときに前記当接部に当接して前記付勢力に抗した制動力をカム２４に加えるダンパー２６と、を備える。【選択図】図７
2015175150.tif 000002
【特許請求の範囲】
【請求項１】
扉体に設けられた換気機能を有する換気扉の開閉機構において、
前記換気扉の開動、および、閉動と連動するストライカと、
前記ストライカが摺動する摺動部、付勢部材を保持する保持部、および、制動部材と当接する当接部を有して、前記ストライカの動きと連動するカムと、
前記換気扉を開位置、および、閉位置に保持するための付勢力を前記カムに加える前記付勢部材と、
前記換気扉が少なくとも閉動するときに前記当接部に当接して前記付勢力に抗した制動力を前記カムに加える前記制動部材と、
を備えることを特徴とする換気扉の開閉機構。
【請求項２】
前記制動部材は、延在方向に沿って延びる形状を有して前記制動力を前記延在方向に沿って加え、
前記当接部は、前記延在方向と直交する方向に沿った面を含む
請求項１に記載の換気扉の開閉機構。
【請求項３】
前記カム、前記付勢部材、および、前記制動部材は、前記制動部材の延びる方向である延在方向に沿って並び、
前記カムは、前記付勢部材と前記制動部材との間に位置する
請求項１または２に記載の換気扉の開閉機構。
【請求項４】
前記摺動部は、前記制動部材の延びる方向である延在方向に沿って延びる前記カムの底面に位置する
請求項１から３のいずれか１つに記載の換気扉の開閉機構。
【請求項５】
前記ストライカは、前記換気扉の回転軸と、前記回転軸の延びる方向とは反対方向に沿って延びるストライカピンとを備え、前記ストライカピンが前記摺動部を摺動する
請求項１から４のいずれか１つに記載の換気扉の開閉機構。
【請求項６】
前記カム、前記付勢部材、および、前記制動部材を収容するケースをさらに備え、
前記ケースは、前記換気扉を支持するフレームに脱着可能に取り付けられる
請求項１から５のいずれか１つに記載の換気扉の開閉機構。
【発明の詳細な説明】
【技術分野】
【０００１】
本開示の技術は、扉体において換気機能を有する換気扉の開閉機構に関する。
【背景技術】
【０００２】
換気機能を備える扉体には、扉体に形成された換気孔を換気扉の回転によって開閉する換気扉の開閉機構が組み込まれている。こうした換気扉の開閉機構は、換気扉が閉動するときに閉位置の手前において換気扉を閉位置に向けて付勢し、換気扉が開動するときに開位置の手前において換気扉を開位置に向けて付勢する付勢部材を備えている（例えば、特許文献１参照）。
【先行技術文献】
【特許文献】
【０００３】
【特許文献１】特開２０００−１３００４１号公報
【発明の概要】
【発明が解決しようとする課題】
【０００４】
ところで、上述した換気扉の開閉機構では、換気扉の回動する速度が付勢部材の付勢力によって定められるため、付勢力が過剰に小さい場合には、換気扉を閉位置に到達させるために、過大な操作力が必要となる。反対に、付勢力が過剰に大きい場合には、換気扉が閉位置に到達するときに、換気扉の受ける衝撃が過大となる。結局のところ、上述した換気扉の開閉機構では、換気扉の操作性を高める点において改善の余地を残すものとなっている。
本開示における換気扉の開閉機構は、換気扉の操作性を高めることの可能な換気扉の開閉機構を提供することを目的とする。
【課題を解決するための手段】
【０００５】
以下、上記課題を解決するための手段、および、その作用効果について記載する。
本開示における換気扉の開閉機構の一態様は、扉体に設けられた換気機能を有する換気扉の開閉機構である。換気扉の開閉機構は、前記換気扉の開動、および、閉動と連動するストライカと、前記ストライカが摺動する摺動部、付勢部材を保持する保持部、および、制動部材と当接する当接部を有して、前記ストライカの動きと連動するカムと、前記換気扉を開位置、および、閉位置に保持するための付勢力を前記カムに加える前記付勢部材と、前記換気扉が少なくとも閉動するときに前記当接部に当接して前記付勢力に抗した制動力を前記カムに加える前記制動部材と、を備える。
【０００６】
本開示に記載の換気扉の開閉機構の一態様によれば、換気扉が閉動するときに、換気扉を閉位置に保持するための付勢力と、その付勢力に抗した制動力とがカムに作用する。そして、カムの動きと換気扉の閉動とがストライカを介して連動する結果、換気扉の閉動が制動される。それゆえに、換気扉が少なくとも閉動する際には、換気扉の閉動による高級感を演出することができ、また、換気扉とそれを支持する部分との間に指が挟まることも抑えられる。また、換気扉が開位置に到達する手前では、換気扉を開位置に保持するための付勢力がカムに作用するため、換気扉の開動が円滑に進む。それゆえに、制動部材によって調整された速度で換気扉を円滑に閉位置に到達させること、および、換気扉を円滑に開位置に到達させること、ひいては、換気扉の操作性を高めることが可能である。
【０００７】
本開示における換気扉の開閉機構の他の態様において、前記制動部材は、延在方向に沿って延びる形状を有して前記制動力を前記延在方向に沿って加え、前記当接部は、前記延在方向と直交する方向に沿った面を含むことが好ましい。
【０００８】
本開示に記載の換気扉の開閉機構の他の態様によれば、カムに対して制動力の作用する方向と、カムにおいて制動力が作用する面とが相互に直交するため、カムに作用する制動力の大きさがばらつくことが抑えられる。
【０００９】
本開示における換気扉の開閉機構の他の態様において、前記カム、前記付勢部材、および、前記制動部材は、前記制動部材の延びる方向である延在方向に沿って並び、前記カムは、前記付勢部材と前記制動部材との間に位置することが好ましい。
【００１０】
本開示に記載の換気扉の開閉機構の他の態様によれば、カム、付勢部材、および、制動部材が、１つの方向である延在方向に沿って並び、かつ、付勢部材と制動部材との間にカムが位置する。そのため、延在方向と直交する方向において、換気扉の開閉機構の占有する空間が大きくなることが抑えられる。例えば、延在方向が扉体の縁に沿った方向であれば、扉体の厚さ方向において、換気扉の開閉機構の占有する空間が大きくなることが抑えられる。
【００１１】
本開示における換気扉の開閉機構の他の態様において、前記摺動部は、前記制動部材の延びる方向である延在方向に沿って延びる前記カムの底面に位置することが好ましい。
【００１２】
本開示に記載の換気扉の開閉機構の他の態様によれば、摺動部の位置する底面の延びる方向と、制動部材の延びる方向とが、共通する延在方向である。そのため、換気扉の開閉機構の占有する空間を延在方向に沿った形状に設計することが可能である。結果として、例えば、換気扉のフレームの一辺に沿って換気扉の開閉機構を配置することに適した形状を換気扉の開閉機構において採用することが可能となる。
【００１３】
本開示における換気扉の開閉機構の他の態様において、前記ストライカは、前記換気扉の回転軸と、前記回転軸の延びる方向とは反対方向に沿って延びるストライカピンとを備え、前記ストライカピンが前記摺動部を摺動することが好ましい。
【００１４】
本開示における換気扉の開閉機構の他の態様によれば、ストライカの備える回転軸が、換気扉の開動、および、閉動と、ストライカの摺動とを連動させる。また、ストライカの備えるストライカピンが、ストライカの摺動とカムの動きとを連動させる。そして、換気扉の動きとストライカの動きとを連動させる機能、および、ストライカの動きとカムの動きとを連動させる機能を、１つの部材であるストライカが兼ね備えている。それゆえに、ストライカ以外の他の部材が、これらの機能の一部を担う構成と比べて、換気扉の開閉機構における部材の点数が抑えられ、また、部材の点数が増えることに伴う占有空間の拡大が、換気扉の開閉機構において抑えられる。
【００１５】
本開示における換気扉の開閉機構の他の態様において、前記カム、前記付勢部材、および、前記制動部材を収容するケースをさらに備え、前記ケースは、前記換気扉を支持するフレームに脱着可能に取り付けられることが好ましい。
【００１６】
本開示における換気扉の開閉機構の他の態様によれば、換気扉を支持するフレームに対して脱着できる状態でケースが取り付けられる。そのため、換気扉の開閉機構を扉体に組み付ける際には、扉体にフレームを組み付けた後に、フレームにケースを組み付けることが可能である。また、換気扉の開閉機構を扉体から取り外す際には、扉体に組み付けられたフレームから換気扉の開閉機構のみを取り外すことが可能である。それゆえに、換気扉の開閉機構の組み付けや換気扉の開閉機構のメンテナンスが容易である。
【図面の簡単な説明】
【００１７】
【図１】本開示における換気扉の開閉機構を具体化した一実施形態における換気扉の開閉機構の正面構造を示す正面図であって、換気扉の開閉機構を備える換気ユニット、および、換気ユニットを備える内装扉と共に示す図である。
【図２】一実施形態における換気ユニットの備える換気扉の開閉機構の斜視構造を示す斜視図であって、開閉機構と共に、換気扉を実線、および、内装扉の一部を二点鎖線で示す図である。
【図３】一実施形態における換気ユニットの備える第１横ユニットフレームの斜視構造を示す斜視図である。
【図４】一実施形態における換気ユニットの備える第２横ユニットフレームの正断面構造を示す正断面図であって、外装フレームの一部を切り欠いて示す図である。
【図５】一実施形態における換気ユニットの備える第１扉キャップの斜視構造を示す斜視図である。
【図６】一実施形態における換気ユニットの備える第１扉キャップの平面構造を示す平面図である。
【図７】一実施形態における換気ユニットの正断面構造を示す正断面図である。
【図８】図７のＡ‐Ａ線断面図であって、一実施形態における換気ユニットにおいて換気扉が閉位置に位置するときの換気ユニットの断面構造を示す断面図である。
【図９】図７のＡ‐Ａ線断面図であって、一実施形態における換気ユニットにおいて換気扉が開位置に位置するときの換気ユニットの断面構造を示す断面図である。
【図１０】図７のＢ‐Ｂ線断面図であって、一実施形態における換気ユニットにおいて換気扉が閉位置に位置するときの換気ユニットの断面構造を示す断面図である。
【図１１】図７のＢ‐Ｂ線断面図であって、一実施形態における換気ユニットにおいて換気扉が開位置に位置するときの換気ユニットの断面構造を示す断面図である。
【図１２】一実施形態における換気扉の開閉機構を構成する各構成要素の斜視構造を示す分解斜視図である。
【図１３】一実施形態におけるカムの斜視構造を示す斜視図である。
【図１４】一実施形態における換気扉の開閉機構の内部構造を示す平面図であって、換気扉が閉位置に位置するときのストライカピンと摺動部との相対的な位置を示す図である。
【図１５】一実施形態における換気扉の開閉機構の内部構造を示す平面図であって、換気扉が開位置に回動するときのストライカピンと摺動部との相対的な位置を示す図である。
【図１６】一実施形態における換気扉の開閉機構の内部構造を示す平面図であって、換気扉が閉位置に位置するときのストライカピンと摺動部との相対的な位置を示す図である。
【図１７】変形例における換気ユニットの斜視構造を示す斜視図である。
【図１８】変形例における換気ユニットの正断面構造を示す正断面図である。
【発明を実施するための形態】
【００１８】
本開示における換気扉の開閉機構を内装扉における換気扉の開閉機構に具体化した１つの実施形態を以下に説明する。
【００１９】
図１が示すように、扉体の一例である内装扉Ｄは、例えば、住宅において空間を区切る開き戸である。内装扉Ｄは、縦方向に沿って延びる第１縦框Ｄ１と、縦方向に沿って延びる第２縦框Ｄ２とを備え、第１縦框Ｄ１と第２縦框Ｄ２とは、縦方向に沿って延びる２つの換気ユニット１０を挟んでいる。１つの換気ユニット１０は、縦方向に沿って延びる矩形枠形状を有したユニットフレームＦと、換気扉Ｗと、換気扉の開閉機構とから構成されている。１つの換気扉Ｗは、縦方向に沿って延びる仕切板Ｇと、仕切板Ｇを囲う扉フレームＦＧとから構成されている。２つの換気ユニット１０の各々の有する構造は、２つの換気ユニット１０の間を通る水平面に対して面対称である。以下では、縦方向に沿って並ぶ２つの換気ユニット１０の中で、上側の換気ユニット１０を主に説明し、下側の換気ユニット１０において重複する説明を割愛する。
【００２０】
［換気ユニット１０］
図２が示すように、換気ユニット１０の備えるユニットフレームＦは、第１横ユニットフレーム１１と、第１縦ユニットフレーム１３１と、第２縦ユニットフレーム１３２と、第２横ユニットフレーム１５とから構成されている。第１横ユニットフレーム１１、および、第２横ユニットフレーム１５の各々は、横方向に沿って延びる板形状を有している。第１縦ユニットフレーム１３１は、縦方向に沿って延びる柱形状を有し、第２縦ユニットフレーム１３２もまた、縦方向に沿って延びる柱形状を有している。
【００２１】
第１縦ユニットフレーム１３１、および、第２縦ユニットフレーム１３２の各々の有する構造は、第１縦ユニットフレーム１３１と第２縦ユニットフレーム１３２との間を通る縦方向に沿った直線に対して回転対称である。第１縦ユニットフレーム１３１、および、第２縦ユニットフレーム１３２の各々の下端部は、第１横ユニットフレーム１１にねじ止めされ、第１縦ユニットフレーム１３１、および、第２縦ユニットフレーム１３２の各々の上端部は、第２横ユニットフレーム１５にねじ止めされている。ユニットフレームＦは、矩形枠形状を有して、１つの孔である換気孔を換気ユニット１０に区画し、換気孔の内部に１つの換気扉を収容している。
【００２２】
換気扉の備える扉フレームは、第１扉キャップ１２と、第１扉縦フレームＦ１と、第２扉縦フレームＦ２と、第２扉キャップ１４とから構成されている。第１扉キャップ１２、および、第２扉キャップ１４の各々は、横方向に沿って延びるブロック形状を有している。第１扉縦フレームＦ１、および、第２扉縦フレームＦ２の各々は、縦方向に沿って延びる柱形状を有している。第１扉縦フレームＦ１、および、第２扉縦フレームＦ２の各々の下端部は、第１扉キャップ１２にねじ止めされ、第１扉縦フレームＦ１、および、第２扉縦フレームＦ２の各々の上端部は、第２扉キャップ１４にねじ止めされている。扉フレームは、矩形枠形状を有して、例えば、ガラス板などの仕切板Ｇを縁取っている。
【００２３】
［第１横ユニットフレーム１１］
図３が示すように、第１横ユニットフレーム１１は、横方向に沿って延びる四角板形状を有した第１軸支板部１１Ｐを備えている。第１軸支板部１１Ｐの延在方向において、第１軸支板部１１Ｐの有する両端部は、第１縦ユニットフレーム１３１の下端部と、第２縦ユニットフレーム１３２の下端部とにねじ止めされる。
【００２４】
第１軸支板部１１Ｐの有する１つの面は、第１軸支面１１Ｓである。第１軸支面１１Ｓにおいて、横方向におけるほぼ中央には、縦方向に沿って延びる円柱形状を有した第１回転軸１１Ａが突き出ている。第１軸支面１１Ｓにおいて、第１回転軸１１Ａに対する横方向の両側には、五角柱形状を有した第１回転係止部１１Ｂが突き出ている。
【００２５】
［第２横ユニットフレーム１５］
図４が示すように、第２横ユニットフレーム１５は、横方向に沿って延びる四角板形状を有した第２軸支板部１５Ｐを備えている。また、第２横ユニットフレーム１５は、第２軸支板部１５Ｐに対して、紙面の手前側に位置する外装プレート１５Ｆと、第２軸支板部１５Ｐに対して、紙面の奥側に位置する外装プレート１５Ｆとを備えている。２つの外装プレート１５Ｆの各々は、第２軸支板部１５Ｐと同じく横方向に沿って延びる四角板形状を有している。
【００２６】
第２軸支板部１５Ｐの延在方向において、第２軸支板部１５Ｐの有する両端部は、第１縦ユニットフレーム１３１の上端部と、第２縦ユニットフレーム１３２の上端部とにねじ止めされる。第２軸支板部１５Ｐは、横方向に沿って延びる２つの縁を有し、２つの縁の各々は、相互に対向する外装プレート１５Ｆに連結している。第２軸支板部１５Ｐ、および、２つの外装プレート１５Ｆは、横方向から見てＵ字形状を有する１つの第２横ユニットフレーム１５を構成し、横方向に沿って延びる空間である１つの収容空間１５Ｖを区画している。
【００２７】
第２軸支板部１５Ｐの有する１つの面は、第２軸支面１５Ｓである。第２軸支面１５Ｓにおいて、横方向におけるほぼ中央には、縦方向に沿って延びる円形孔形状を有した軸挿通孔１５Ｈが貫通している。軸挿通孔１５Ｈにおいて、軸挿通孔１５Ｈに対する横方向の両側には、矩形板形状を有した第２回転係止部１５Ｂが突き出ている。２つの第２回転係止部１５Ｂの各々は、第２軸支板部１５Ｐの一部を第１軸支板部１１Ｐに向けて切り起こした形状を有している。２つの第２回転係止部１５Ｂの各々の先端は、弾性キャップ１５Ｃによって覆われ、第１横ユニットフレーム１１の備える第１回転係止部１１Ｂと対向している。
【００２８】
［第１扉キャップ１２］
第１扉キャップ１２、および、第２扉キャップ１４は、それぞれ仕切板Ｇの縁を覆う被覆板部１２Ｐ，１４Ｐと、ユニットフレームＦに接続する連結筒部１２Ｆ，１４Ｆとを備えている。第１扉キャップ１２と第２扉キャップ１４との各々の有する構造は、第１扉キャップ１２と第２扉キャップ１４との間の水平面に対して面対称である。以下では、第１扉キャップ１２の構成を主に説明し、第２扉キャップ１４において重複する説明を割愛する。
【００２９】
図５が示すように、第１扉キャップ１２の備える被覆板部１２Ｐは、仕切板Ｇの縁を覆うように、横方向に沿った板形状を有している。被覆板部１２Ｐにおける横方向の両端部は、第１扉縦フレームＦ１、および、第２扉縦フレームＦ２にねじ止めされる。
【００３０】
第１扉キャップ１２における連結筒部１２Ｆは、被覆板部１２Ｐにおける横方向のほぼ中央から縦方向に沿って延びる菱形筒形状を有している。連結筒部１２Ｆの有する周壁は、横方向に沿って延びて相互に対向する２つの壁部１２Ｗ１と、横方向に対してほぼ４５°の傾きを有する方向に沿って延びて相互に対向する２つの壁部１２Ｗ２とから構成されている。連結筒部１２Ｆの筒内においてほぼ中央には、円筒形状を有した軸支筒部１２Ａが、縦方向に沿って延びている。軸支筒部１２Ａには、縦方向に沿って延びる円形孔である軸支孔１２Ｈが形成されている。
【００３１】
図６が示すように、軸支筒部１２Ａの外周面には、相互に異なる４つの係止壁が、軸支筒部１２Ａの外周面から軸支筒部１２Ａの外側に向けて突き出ている。４つの係止壁の各々は、軸支筒部１２Ａの外周面においてほぼ等間隔を空けて位置している。４つの係止壁の中で、２つの開動係止壁１２Ｓ１は、軸支筒部１２Ａの中心軸を挟み、相互に対向するように位置している。４つの係止壁の中で、２つの閉動係止壁１２Ｓ２は、これもまた軸支筒部１２Ａの中心軸を挟み、相互に対向するように位置している。４つの係止壁の各々は、連結筒部１２Ｆの内側面に接続し、連結筒部１２Ｆと軸支筒部１２Ａとの間の隙間を、軸支筒部１２Ａの周方向において４つに区画している。
【００３２】
軸支筒部１２Ａの内周面には、相互に異なる２つの軸支片１２Ｇが、軸支筒部１２Ａの内周面から軸支筒部１２Ａの中心軸に向けて突き出ている。２つの軸支片１２Ｇは、軸支筒部１２Ａの中心軸に沿った方向から見てＴ字形状を有し、軸支筒部１２Ａの内周面の接線方向に沿って広がる平面壁を備えている。２つの軸支片１２Ｇは、軸支筒部１２Ａの中心軸を挟み、相互に対向するように位置している。
【００３３】
ここで、第１横ユニットフレーム１１の円柱形状を有した第１回転軸１１Ａが、第１扉キャップ１２の２つの軸支片１２Ｇの間に位置するとき、第１回転軸１１Ａが２つの軸支片１２Ｇに対して摺接できる状態で、第１回転軸１１Ａが２つの軸支片１２Ｇに軸支される。一方で、例えば、四角柱形状を有した回転軸が２つの軸支片１２Ｇの間に位置するとき、その回転軸が２つの軸支片１２Ｇに対して固定された状態で、その回転軸が２つの軸支片１２Ｇに支持される。
【００３４】
なお、第２扉キャップ１４の備える被覆板部１４Ｐは、第１扉キャップ１２と同様に、第１扉縦フレームＦ１、および、第２扉縦フレームＦ２にねじ止めされる。第２扉キャップ１４の備える連結筒部１４Ｆは、これもまた第１扉キャップ１２と同様に、縦方向に沿って延びる軸支筒部１４Ａを筒内に有している。また、軸支筒部１４Ａと連結筒部１４Ｆとの間の隙間は、第１扉キャップ１２と同様に、２つの開動係止壁１４Ｓ１と、２つの閉動係止壁１４Ｓ２とによって４つに区画されている。そして、軸支筒部１４Ａに形成された軸支孔１４Ｈ内には、相互に対向する２つの軸支片１４Ｇが位置している。
【００３５】
［横ユニットフレームと扉キャップ］
図７が示すように、第１横ユニットフレーム１１の備える第１回転軸１１Ａは、第１扉キャップ１２の備える軸支筒部１２Ａに差し込まれている。これによって、第１横ユニットフレーム１１に対して第１扉キャップ１２が回転できる状態で、第１扉キャップ１２が第１横ユニットフレーム１１に支持される。
【００３６】
第１横ユニットフレーム１１の備える２つの第１回転係止部１１Ｂの各々は、第１扉キャップ１２において、軸支筒部１２Ａと連結筒部１２Ｆとの間の隙間に差し込まれている。第１回転係止部１１Ｂの差し込まれた隙間は、開動係止壁１２Ｓ１と閉動係止壁１２Ｓ２とに区画された空間であって、軸支筒部１２Ａを挟んで相互に対向している。
【００３７】
第２横ユニットフレーム１５に形成された収容空間１５Ｖには、換気扉の開閉機構２０が収容されている。換気扉の開閉機構２０は、横方向におけるほぼ中央に、縦方向に沿って延びる第２回転軸２５Ａを備えている。第２回転軸２５Ａは、縦方向に沿って延びる四角柱形状を有して、第２横ユニットフレーム１５の備える軸挿通孔１５Ｈに通っている。
【００３８】
換気扉の開閉機構２０の備える第２回転軸２５Ａは、第２扉キャップ１４の備える軸支筒部１４Ａに差し込まれている。第２横ユニットフレーム１５の備える２つの第２回転係止部１５Ｂの各々は、弾性キャップ１５Ｃと共に、第２扉キャップ１４の備える軸支筒部１４Ａと連結筒部１４Ｆとの間の隙間に差し込まれている。
【００３９】
第２横ユニットフレーム１５の備える２つの第２回転係止部１５Ｂの各々は、第２扉キャップ１４において、軸支筒部１４Ａと連結筒部１４Ｆとの間の隙間に差し込まれている。第２回転係止部１５Ｂの差し込まれた隙間は、開動係止壁１４Ｓ１と閉動係止壁１４Ｓ２とに区画された空間であって、軸支筒部１４Ａを挟んで相互に対向している。
【００４０】
図８が示すように、相互に対向する軸支片１２Ｇは、第１回転軸１１Ａの円周面に接して、第１横ユニットフレーム１１に対する第１扉キャップ１２の回転を許容している。換気扉Ｗが閉位置に位置するとき、ユニットフレームＦに囲まれる換気孔Ｈは、換気扉Ｗによって塞がれている。また、換気扉Ｗが閉位置に位置するとき、２つの第１回転係止部１１Ｂの各々は、相互に異なる閉動係止壁１２Ｓ２に当接している。
【００４１】
そして、換気扉Ｗが閉位置に位置するとき、換気扉Ｗが閉位置から図８において左回りに回転することが、第１回転係止部１１Ｂと閉動係止壁１２Ｓ２との当接によって禁止される。また、換気扉Ｗが閉位置よりも図８において右回り（図８の矢印方向）に回転することが、第１回転係止部１１Ｂと開動係止壁１２Ｓ１との間の隙間によって許容される。
【００４２】
図９が示すように、換気扉Ｗが開位置に位置するとき、換気扉Ｗの縁がユニットフレームＦから離れて、太矢印が示すような通気が換気孔Ｈにおいて許容されている。２つの第１回転係止部１１Ｂの各々は、相互に異なる開動係止壁１２Ｓ１に当接している。
【００４３】
そして、換気扉Ｗが開位置に位置するとき、換気扉Ｗが開位置よりも図９において右回りに回転することが、第１回転係止部１１Ｂと開動係止壁１２Ｓ１との当接によって禁止される。また、換気扉Ｗが開位置よりも図９において左回り（図９の矢印方向）に回転することが、第１回転係止部１１Ｂと閉動係止壁１２Ｓ２との間の隙間によって許容される。
【００４４】
図１０が示すように、相互に対向する軸支片１４Ｇは、第２回転軸２５Ａの外周面に接して、第２回転軸２５Ａの回転に対して第２扉キャップ１４は常に追従する。換気扉Ｗが閉位置に位置するとき、２つの第２回転係止部１５Ｂの各々は、弾性キャップ１５Ｃを介して、相互に異なる閉動係止壁１４Ｓ２に当接している。
【００４５】
そして、換気扉Ｗが閉位置に位置するとき、換気扉Ｗが閉位置よりも図１０において左回りに回転することが、第２回転係止部１５Ｂと閉動係止壁１４Ｓ２との当接によって禁止される。また、換気扉Ｗが閉位置よりも図１０において右回り（図１０の矢印方向）に回転することが、第２回転係止部１５Ｂと開動係止壁１４Ｓ１との間の隙間によって許容される。
【００４６】
図１１が示すように、換気扉Ｗが開位置に位置するとき、２つの第２回転係止部１５Ｂの各々は、弾性キャップ１５Ｃを介して、相互に異なる開動係止壁１４Ｓ１に当接している。
【００４７】
そして、換気扉Ｗが開位置に位置するとき、換気扉Ｗが開位置よりも図１１において右回りに回転することが、第２回転係止部１５Ｂと開動係止壁１４Ｓ１との当接によって禁止される。また、換気扉Ｗが開位置よりも図１１において左回り（図１１の矢印方向）に回転することが、第２回転係止部１５Ｂと閉動係止壁１４Ｓ２との間の隙間によって許容される。
【００４８】
上述した第２横ユニットフレーム１５と第２扉キャップ１４との係合によれば、第２回転軸２５Ａが回転することによって、換気扉Ｗが回転する。そして、第１横ユニットフレーム１１と第１扉キャップ１２との係合によれば、換気扉Ｗが回転する際に、換気扉Ｗと第１回転軸１１Ａとの接触による抵抗が抑えられる。それゆえに、第２回転軸２５Ａの回転に換気扉Ｗの回転が円滑に追従する。
【００４９】
また、換気扉Ｗが開位置に位置するとき、換気扉Ｗが開位置よりも開動することが、第１回転係止部１１Ｂと開動係止壁１２Ｓ１との当接、および、弾性キャップ１５Ｃと開動係止壁１４Ｓ１との当接によって禁止される。それゆえに、第２回転軸２５Ａの回転力を受ける換気扉Ｗが開位置よりも開動することが、換気扉Ｗにおける縦方向の両端部において抑えられる。結果として、開位置における換気扉Ｗの姿勢は、換気扉Ｗの開動ごとにねじれることなく、高い精度で再現される。
【００５０】
また、換気扉Ｗが閉位置に位置するとき、換気扉Ｗが閉位置よりも閉動することが、第１回転係止部１１Ｂと閉動係止壁１２Ｓ２との当接、および、弾性キャップ１５Ｃと閉動係止壁１４Ｓ２との当接によって禁止される。それゆえに、第２回転軸２５Ａの回転力を受ける換気扉Ｗが閉位置よりも閉動することが、換気扉Ｗにおける縦方向の両端部において抑えられる。結果として、閉位置における換気扉Ｗの姿勢は、換気扉Ｗの閉動ごとにねじれることなく、高い精度で再現される。
【００５１】
［換気扉の開閉機構２０］
図１２が示すように、換気扉の開閉機構２０は、ケース２１とカバー２２とから構成される筐体を備えている。筐体の内部には、付勢部材の一例であるコイルばね２３と、カム２４と、ストライカ２５と、制動部材の一例であるダンパー２６とが収容されている。コイルばね２３は、横方向に沿って延びる螺旋形状を有し、カム２４は、これもまた横方向に沿って延びる直方体形状を有している。ダンパー２６は、これもまた横方向に沿って延びる円柱形状を有し、これらコイルばね２３、カム２４、および、ダンパー２６が、横方向に沿って並んでいる。そして、コイルばね２３とダンパー２６との間に、カム２４が位置している。
【００５２】
ケース２１は、横方向に沿って延びる箱体形状を有し、第２横ユニットフレーム１５の有する収容空間１５Ｖに収容されて、第２横ユニットフレーム１５に固定されている。ケース２１は、第２横ユニットフレーム１５と対向する底壁を有している。第２横ユニットフレーム１５に対するケース２１の固定は、第２横ユニットフレーム１５に対する底壁のねじ止めであってもよいし、別途ケース２１に設けられる係止爪の第２横ユニットフレーム１５に対する係止であってもよい。
【００５３】
なお、ケース２１は、第２横ユニットフレーム１５に対して脱着可能であることが好ましい。ケース２１が脱着可能である構成であれば、換気扉の開閉機構を内装扉Ｄに組み付ける際には、内装扉Ｄに第２横ユニットフレーム１５を組み付けた後に、第２横ユニットフレーム１５に換気扉の開閉機構を取り付けることが可能である。それゆえに、換気扉の開閉機構を内装扉Ｄに組み付ける作業が容易である。また、換気扉の開閉機構を内装扉Ｄから取り外す際に、内装扉Ｄに組み付けられた第２横ユニットフレーム１５から換気扉の開閉機構のみを取り外すことが可能である。それゆえに、ケース２１、および、ケース２１の収容するコイルばね２３、カム２４、および、ダンパー２６に対するメンテナンスが容易である。
【００５４】
ケース２１の横方向における一方の端部は、横方向に沿って延びる柱形状を有したばね支持部２１３を備えている。ばね支持部２１３は、コイルばね２３の内側に通り、コイルばね２３を横方向に沿って支持している。
【００５５】
ケース２１の横方向における他方の端部には、横方向に沿って延びて相互に対向する板形状を有した２つのダンパー係止爪２１６が、ケース２１の底壁から突き出ている。２つのダンパー係止爪２１６の間の隙間には、横方向に沿って延びるダンパー２６が位置し、２つのダンパー係止爪２１６は、ダンパー２６をケース２１の内部に固定している。
【００５６】
ケース２１の側壁であって、ばね支持部２１３とダンパー係止爪２１６との間には、相互に対向する突条形状を有した２つのカムガイドリブ２１４が、横方向に沿って延びている。２つのカムガイドリブ２１４の間の隙間には、横方向に沿って延びる直方体形状を有したカム２４が位置している。２つのカムガイドリブ２１４は、縦方向におけるカム２４の位置をケース２１の内部に規制し、かつ、カム２４の横方向に沿った移動を許容する。
【００５７】
ケース２１の底壁であって、ばね支持部２１３とダンパー係止爪２１６との間には、円形孔である軸挿通孔２１５Ａが貫通している。ケース２１の底壁であって、軸挿通孔２１５Ａとダンパー係止爪２１６との間には、円弧形状を有するガイド孔２１５Ｂが貫通している。軸挿通孔２１５Ａとガイド孔２１５Ｂとは、共通する１つの中心を有している。
【００５８】
コイルばね２３は、横方向に沿って延びる螺旋形状を有し、コイルばね２３の内側には、ばね支持部２１３が通っている。コイルばね２３は、ばね支持部２１３の支持によって、コイルばね２３の延在方向と横方向とを、ほぼ整合させている。そして、コイルばね２３は、ばね支持部２１３からダンパー係止爪２１６に向けた付勢力を、ほぼ横方向に沿ってカム２４に加える。
【００５９】
カム２４は、横方向に沿って延びる直方体形状を有し、ケース２１の底壁と対向する面である底面２４Ｃと、横方向において相互に対向する２つの端部とを有している。カム２４における一方の端部は、コイルばね２３を保持するための保持部２４Ｈである。保持部２４Ｈは、横方向に沿って延びる有底の筒形状を有し、ばね支持部２１３に向けて開口している。保持部２４Ｈは、コイルばね２３の端部を収容して、コイルばね２３からの付勢力を受け止める。カム２４における他方の端部は、ダンパー２６に当接するための当接部である。当接部は、横方向に沿って延びる直方体形状を有し、ダンパー係止爪２１６と対向する当接面２４Ｐを有している。当接面２４Ｐは、横方向と直交する方向に沿って広がっている。
【００６０】
ストライカ２５は、縦方向と直交する方向に沿って広がる円盤形状を有した本体部を備えている。ストライカ２５の本体部は、その本体部の中心から換気扉Ｗに向けて縦方向に沿って延びる第２回転軸２５Ａと一体に成形されている。また、ストライカ２５の本体部は、その本体部における径方向の外側に位置し、かつ、カム２４に向けて縦方向に沿って延びるストライカピン２５Ｓと一体に成形されている。さらに、ストライカ２５の本体部は、その本体部における径方向の外側に位置し、かつ、換気扉Ｗに向けて縦方向に沿って延びるガイドピン２５Ｂと一体に成型されている。
【００６１】
ストライカ２５の備える第２回転軸２５Ａは、ケース２１に形成された軸挿通孔２１５Ａを貫通して、第２扉キャップ１４の軸支筒部１４Ａに差し込まれている。ストライカ２５の備えるストライカピン２５Ｓは、ストライカピン２５Ｓがカム２４の底面２４Ｃに摺接できる状態で、カム２４の底面２４Ｃとケース２１の底壁との間に位置している。ストライカ２５の備えるガイドピン２５Ｂは、ケース２１に形成されたガイド孔２１５Ｂを通り、ガイド孔２１５Ｂに沿って回転する。そして、ガイドピン２５Ｂの回転がガイド孔２１５Ｂに案内されることによって、第２回転軸２５Ａの回転は、軸挿通孔２１５Ａの中心軸を中心として案内される。
【００６２】
ダンパー２６は、横方向に沿って延びる円柱形状を有したシリンダーダンパーであって、横方向に沿って延びるダンパーピン２６Ｐを備えている。ダンパーピン２６Ｐは、コイルばね２３からダンパー２６に向けて往動し、かつ、ダンパー２６からコイルばね２３に向けて復動する。コイルばね２３からダンパー２６に向けた力をダンパーピン２６Ｐが受けるとき、ダンパー２６は、ダンパーピン２６Ｐの往動を制動する。また、コイルばね２３からダンパー２６に向けた力がダンパーピン２６Ｐから解除されたとき、ダンパー２６は、ダンパーピン２６Ｐを自動的に復動する。
【００６３】
［カム２４］
図１３が示すように、カム２４の底面２４Ｃには、開位置案内溝２４Ａと、閉位置案内溝２４Ｂとが形成されている。開位置案内溝２４Ａ、および、閉位置案内溝２４Ｂは、相互に連なる１つの溝を構成し、保持部２４Ｈから当接面２４Ｐに向けて突き出た曲線形状を有する１つの摺接部を構成している。カム２４は、横方向に沿って延びて相互に対向する２つの側端面を備え、２つの側端面は、一方の外装プレート１５Ｆと対向する開側端面２４ＳＡと、他方の外装プレート１５Ｆと対向する閉側端面２４ＳＢとから構成されている。
【００６４】
開位置案内溝２４Ａは、開側端面２４ＳＡに開口する溝であって、開位置案内溝２４Ａの溝側面にストライカピン２５Ｓが摺接できる程度の溝幅を有している。開位置案内溝２４Ａにおいて開側端面２４ＳＡに近い部位ほど、横方向において保持部２４Ｈに近く、また、開位置案内溝２４Ａにおいて閉側端面２４ＳＢに近い部位ほど、横方向において当接面２４Ｐに近い。
【００６５】
閉位置案内溝２４Ｂは、閉側端面２４ＳＢに開口する溝であって、閉位置案内溝２４Ｂの溝側面にストライカピン２５Ｓが摺接できる程度の溝幅を有している。閉位置案内溝２４Ｂにおいて閉側端面２４ＳＢに近い部位ほど、横方向において保持部２４Ｈに近く、また、閉位置案内溝２４Ｂにおいて開側端面２４ＳＡに近い部位ほど、横方向において当接面２４Ｐに近い。
【００６６】
開位置案内溝２４Ａと閉位置案内溝２４Ｂとの接続する部位は、閉側端面２４ＳＢよりも開側端面２４ＳＡに近い。閉位置案内溝２４Ｂの有する長さは、開位置案内溝２４Ａの有する長さよりも長く、摺動部においてストライカピン２５Ｓの摺動する距離は、開位置案内溝２４Ａよりも閉位置案内溝２４Ｂにおいて長い。
【００６７】
開側端面２４ＳＡ、および、閉側端面２４ＳＢの各々には、横方向に沿って延びるガイド溝２４Ｇが形成されている。カム２４の備えるガイド溝２４Ｇに、ケース２１の備えるカムガイドリブ２１４が嵌め込まれることによって、カム２４の移動が横方向に沿って案内される。カム２４の横方向に沿った移動の中で、カム２４がダンパー２６に近づく移動は、カム２４の往動であり、カム２４がばね支持部２１３に近づく移動が、カム２４の復動である。
【００６８】
［換気扉の開閉機構２０の作用］
図１４〜図１６の各々は、換気扉の開閉機構２０の作用を示す作用図であって、図１４は、換気扉Ｗが閉位置に位置するときのストライカピン２５Ｓと摺動部との相対的な位置を示す図である。図１５は、換気扉Ｗが開位置に向けて回動しているときのストライカピン２５Ｓと摺動部との相対的な位置を示す図である。図１６は、換気扉Ｗが開位置に位置するときのストライカピン２５Ｓと摺動部との相対的な位置を示す図である。なお、図１４から図１６は、当接面２４Ｐの横方向における位置、ストライカピン２５Ｓの横方向における位置、および、コイルばね２３の先端の横方向における位置を、横方向に沿った座標軸に示す。
【００６９】
図１４が示すように、換気扉Ｗが閉位置に位置するとき、ストライカピン２５Ｓは、閉位置案内溝２４Ｂにおいて閉側端面２４ＳＢ側の端部に位置し、横方向においてピン閉位置５ＰＣに位置している。また、カム２４の備える当接面２４Ｐは、横方向において当接閉位置４ＰＣに位置し、ダンパー２６の備えるダンパーピン２６Ｐは、その当接面２４Ｐに当接している。また、コイルばね２３の先端は、横方向においてばね閉位置３ＰＣに位置している。
【００７０】
この際に、コイルばね２３がカム２４に加える付勢力は、閉位置案内溝２４Ｂの溝側面をダンパー２６に向けて付勢している。ストライカピン２５Ｓは、その閉位置案内溝２４Ｂの溝側面に当接している。そして、これら閉位置案内溝２４Ｂの溝側面とストライカピン２５Ｓとの接触を通じて、閉位置案内溝２４Ｂの溝側面に作用する付勢力は、ストライカピン２５Ｓに対する付勢力に変換される。この際に、ストライカピン２５Ｓに対する付勢力は、ストライカピン２５Ｓを、閉位置案内溝２４Ｂにおいて閉側端面２４ＳＢ側の端部に向けて押すように作用する。
【００７１】
一方で、上述したように、換気扉Ｗが閉位置に位置するとき、換気扉Ｗが閉位置よりも閉動することが、第１回転係止部１１Ｂと閉動係止壁１２Ｓ２との当接、および、弾性キャップ１５Ｃと閉動係止壁１４Ｓ２との当接によって禁止される。結果として、ストライカピン２５Ｓに対する付勢力は、換気扉Ｗを閉位置に保持するように作用する。
【００７２】
図１５が示すように、換気扉Ｗを開操作する使用者の力によって、換気扉Ｗが閉位置から開位置に向けて開動するとき、ストライカピン２５Ｓは、まず、閉位置案内溝２４Ｂの溝側面を開位置案内溝２４Ａに向けて摺動し、次いで、閉位置案内溝２４Ｂに進入する。
【００７３】
この際に、ストライカピン２５Ｓが閉位置案内溝２４Ｂに沿って移動する区間において、ストライカピン２５Ｓに対する付勢力は、ストライカピン２５Ｓを、依然として、閉位置案内溝２４Ｂにおいて閉側端面２４ＳＢ側の端部に向けて押すように作用する。これに対して、換気扉Ｗを開操作する使用者が、こうした付勢力に抗した力を加えると、ストライカピン２５Ｓは、第２回転軸２５Ａを中心として回転する。そして、ストライカピン２５Ｓが閉位置案内溝２４Ｂに沿って移動するほど、カム２４は、ばね支持部２１３に向けた応力をストライカピン２５Ｓから受けて、ストライカ２５の中心から離れる方向に沿って復動する。これによって、コイルばね２３は、横方向に沿った長さを縮めてそれの付勢力を強める。
【００７４】
なお、閉位置案内溝２４Ｂと開位置案内溝２４Ａとの接続する部位にストライカピン２５Ｓが到達するまで、上述したカム２４の復動と、コイルばね２３の付勢力の増幅とは継続する。そして、カム２４の復動と付勢力の増幅とが終了するとき、コイルばね２３の先端は、横方向においてばね閉位置３ＰＣよりもばね支持部２１３に近い位置であって、それの移動範囲において最もばね支持部２１３に近い位置である過渡位置３ＰＴに到達する。
【００７５】
結果として、換気扉Ｗを開操作する使用者は、ストライカピン２５Ｓに対する付勢力を開動に対する負荷として受け、換気扉Ｗの開動の開始を認識する。この間において、ダンパー２６は、自身の有する復帰力に従って、ダンパーピン２６Ｐを復動させて、ダンパーピン２６Ｐを当接面２４Ｐに当接させ続ける。そして、ダンパー２６は、横方向において当接閉位置４ＰＣよりもばね支持部２１３に近い位置であって、最もばね支持部２１３に近い過渡位置４ＰＴに、ダンパーピン２６Ｐを到達させる。
【００７６】
図１６が示すように、ストライカピン２５Ｓが開位置案内溝２４Ａに沿って移動する区間において、ストライカピン２５Ｓに対する付勢力は、ストライカピン２５Ｓを、開位置案内溝２４Ａにおいて開側端面２４ＳＡ側の端部に向けて押す力に切り替る。そして、ストライカピン２５Ｓが開位置案内溝２４Ａに沿って移動するほど、ストライカピン２５Ｓが、第２回転軸２５Ａを中心として回転して、換気扉Ｗは開動を進める。この際に、コイルばね２３にて増幅された付勢力によって、ストライカピン２５Ｓの回転が補助されるため、換気扉Ｗを開操作する使用者は、換気扉Ｗを開動するための負荷を軽減される。
【００７７】
この間において、カム２４の当接面２４Ｐは、過渡位置４ＰＴからダンパー２６に近づくように往動し、ダンパー２６は、ダンパーピン２６Ｐを往動させて、ダンパーピン２６Ｐを当接面２４Ｐに当接させ続ける。結果として、カム２４の往動、すなわち、換気扉Ｗの開動は、ダンパー２６の制動力によって制動される。そして、換気扉Ｗを開操作する使用者は、換気扉Ｗを開動するための負荷を軽減され、かつ、換気扉Ｗは、ダンパー２６によって調整された緩やかな速度で開位置に到達する。
【００７８】
換気扉Ｗが開位置に位置するとき、ストライカピン２５Ｓは、開位置案内溝２４Ａにおいて開側端面２４ＳＡ側の端部に位置している。また、ダンパー２６の備えるダンパーピン２６Ｐは、カム２４の備える当接面２４Ｐに当接している。
【００７９】
この際に、コイルばね２３がカム２４に加える付勢力は、開位置案内溝２４Ａの溝側面をダンパー２６に向けて付勢している。ストライカピン２５Ｓは、その開位置案内溝２４Ａの溝側面に当接している。そして、これら開位置案内溝２４Ａの溝側面とストライカピン２５Ｓとの接触を通じて、開位置案内溝２４Ａの溝側面に作用する付勢力は、ストライカピン２５Ｓに対する付勢力に変換される。この際に、ストライカピン２５Ｓに対する付勢力は、ストライカピン２５Ｓを、開位置案内溝２４Ａにおいて開側端面２４ＳＡ側の端部に向けて押すように作用する。
【００８０】
一方で、上述したように、換気扉Ｗが開位置に位置するとき、換気扉Ｗが開位置よりも開動することが、第１回転係止部１１Ｂと開動係止壁１２Ｓ１との当接、および、弾性キャップ１５Ｃと開動係止壁１４Ｓ１との当接によって禁止される。結果として、ストライカピン２５Ｓに対する付勢力は、換気扉Ｗを開位置に保持するように作用する。
【００８１】
換気扉Ｗを閉操作する使用者の力によって、換気扉Ｗが開位置から閉位置に向けて閉動するとき、ストライカピン２５Ｓは、上記開動とは反対の経路を辿る。すなわち、ストライカピン２５Ｓは、まず、開位置案内溝２４Ａの溝側面を摺動し、次いで、閉位置案内溝２４Ｂに進入する。
【００８２】
この際に、上記開動と同じく、換気扉Ｗを閉操作する使用者は、まず、ストライカピン２５Ｓが開位置案内溝２４Ａを摺動する区間において、ストライカピン２５Ｓに対する付勢力を閉動に対する負荷として受け、換気扉Ｗの閉動の開始を認識する。次いで、換気扉Ｗを閉操作する使用者は、ストライカピン２５Ｓが閉位置案内溝２４Ｂを摺動する区間において、換気扉Ｗを閉動するための負荷を軽減されて、換気扉Ｗは、ダンパー２６によって調整された緩やかな速度で閉位置に到達する。
【００８３】
ここで、閉位置案内溝２４Ｂの長さが、開位置案内溝２４Ａの長さよりも長いため、ダンパー２６の制動が機能する期間は、換気扉Ｗの開動よりも換気扉Ｗの閉動において長い。それゆえに、換気扉Ｗの閉動による高級感を内装扉Ｄが演出でき、また、換気扉ＷとユニットフレームＦとの間に指が挟まることを抑えて、換気扉Ｗが換気孔Ｈを塞ぐ際の安全性も高められる。なお、換気扉Ｗが開位置に位置するとき、当接面２４Ｐは、当接閉位置４ＰＣよりも過渡位置４ＰＴに近い当接開位置４ＰＯに位置し、コイルばねの先端は、これもまた、ばね閉位置３ＰＣよりも過渡位置３ＰＴに近いばね開位置３ＰＯに位置している。それゆえに、換気扉Ｗが開位置に位置するときの付勢力は、換気扉Ｗが閉位置に位置するときの付勢力よりも大きく、換気扉Ｗを開位置に保持するための付勢力は、換気扉Ｗを閉位置に保持するための付勢力よりも大きい。結果として、換気扉Ｗを閉操作する使用者は、扉操作の最初に受ける負荷も開操作より軽減される。
【００８４】
上記実施形態によれば、以下に列挙する効果が得られる。
（１）換気扉Ｗが閉動するときに、換気扉Ｗを閉位置に保持するための付勢力と、その付勢力に抗した制動力とがカム２４に作用する。そして、カム２４の動きと換気扉Ｗの閉動とがストライカ２５を介して連動する結果、換気扉Ｗの閉動が制動される。それゆえに、ダンパー２６によって調整された緩やかな速度で換気扉Ｗを閉位置に到達させること、ひいては、換気扉Ｗの操作性を高めることが可能である。
【００８５】
（２）カム２４に対して制動力の作用する横方向と、カム２４において制動力が作用する当接面２４Ｐとが相互に直交するため、カム２４に作用する制動力の大きさがばらつくことが抑えられる。
【００８６】
（３）カム２４、コイルばね２３、および、ダンパー２６が、延在方向の一例である横方向に沿って並び、かつ、コイルばね２３とダンパー２６との間にカム２４が位置するため、横方向と直交する幅方向において、換気扉の開閉機構２０の占有する空間が大きくなることが抑えられる。それゆえに、内装扉Ｄの厚さ方向において、換気扉の開閉機構２０の占有する空間が大きくなることが抑えられる。
【００８７】
また、開位置案内溝２４Ａや閉位置案内溝２４Ｂの位置する底面２４Ｃの延びる方向と、ダンパー２６の延びる方向とが、共通する延在方向である。そのため、換気扉の開閉機構の占有する空間を、さらに延在方向に沿った形状に設計することが可能である。結果として、ユニットフレームＦの一辺に沿って換気扉の開閉機構を配置することに適した形状を換気扉の開閉機構において採用することが可能となる。
【００８８】
（４）カム２４の有する当接部が、横方向と直交する当接面２４Ｐを含む一方で、カム２４の有する底面２４Ｃは、横方向に沿って延びるカム２４の底面に位置している。それゆえに、当接面２４Ｐと底面２４Ｃとが、横方向と直交する１つの面に位置する構成と比べて、横方向と直交する方向に沿ってカム２４が拡大することが抑えられる。特に、カム２４の底面の延びる方向と横方向とが共通する構成であれば、換気扉の開閉機構が内装扉Ｄの厚さ方向に拡大することが抑えられる。
【００８９】
（５）換気扉Ｗの動きとストライカ２５の動きとを連動させる機能、および、ストライカ２５の動きとカム２４の動きとを連動させる機能を、１つの部材であるストライカ２５が兼ね備えている。それゆえに、ストライカ２５以外の他の部材が、これらの機能の一部を担う構成と比べて、換気扉の開閉機構における部材の点数が抑えられ、また、部材の点数が増えることに伴う占有空間の拡大が、換気扉の開閉機構において抑えられる。
【００９０】
上記実施形態は、以下のように適宜変更して実施することができる。
・扉体の前側や扉体の後側に向けてユニットフレームの位置がずれることを抑える構成を、扉体やユニットフレームが有してもよい。
例えば、図１７が示すように、第１縦ユニットフレーム１３１の外側面、および、第２縦ユニットフレーム１３２の外側面の各々には、縦方向に沿って延びる案内溝ＦＳＧが形成されている。第１縦框Ｄ１において第１縦ユニットフレーム１３１と対向する側面ＤＧ、および、第２縦框Ｄ２において第２縦ユニットフレーム１３２と対向する側面の各々において、案内部材ＤＳは、ユニットフレームＦに向けて突き出ている。案内部材ＤＳは、縦方向に沿った長径を有し、案内部材ＤＳの有する短径は、案内溝ＦＳＧの溝幅とほぼ等しい。案内部材ＤＳの縦方向における両端部は、第１縦框Ｄ１の厚み方向において二股に分かれた傾斜部ＤＳＴであり、二股形状を有する傾斜部ＤＳＴは縦方向に沿って延びている。傾斜部ＤＳＴにおいて横方向に沿った寸法は、傾斜部ＤＳＴの厚みであり、傾斜部ＤＳＴの厚みは、縦方向の端に近い位置ほど薄い。また、傾斜部ＤＳＴの表面は、縦方向の端に近い位置ほど側面ＤＧに近い傾きを有したテーパ形状を有している。
【００９１】
そして、第１縦框Ｄ１の側面ＤＧに形成された縦溝に案内部材ＤＳが取り付けられるとき、側面ＤＧに形成された縦溝には傾斜部ＤＳＴが先行して差し込まれるため、案内部材ＤＳの取り付けが円滑に進む。次いで、第１縦框Ｄ１と第２縦框Ｄ２との間の隙間に向けて換気ユニット１０が差し込まれるとき、案内部材ＤＳは案内溝ＦＳＧの内部に入り込み、換気ユニット１０の移動する方向が、案内溝ＦＳＧの延びる方向、すなわち縦方向に規制される。それゆえに、内装扉Ｄと換気ユニット１０との位置の整合に要する負荷が、換気ユニット１０の取り付けに際して軽減される。しかも、図１８が示すように、換気ユニット１０が内装扉Ｄに取り付けられた状態においても、案内部材ＤＳが案内溝ＦＳＧの内部に位置し続ける。そのため、第１縦框Ｄ１に対する第１縦ユニットフレーム１３１の位置のずれ、および、第２縦框Ｄ２に対する第２縦ユニットフレーム１３２の位置のずれが、案内部材ＤＳと案内溝ＦＳＧとの係合によって抑えられる。
【００９２】
特に、換気ユニットの縦方向に沿った長さが長いほど、第１縦框Ｄ１に対する第１縦ユニットフレーム１３１の位置のずれ、および、第２縦框Ｄ２に対する第２縦ユニットフレーム１３２の位置のずれは大きい。それゆえに、換気ユニット１０が縦方向に沿って長くなるほど、上記案内部材ＤＳの採用は、位置ずれの抑制に効果的であり、案内部材ＤＳが縦方向に沿って間欠的に並ぶ構成であれば、さらに効果的である。
【００９３】
なお、第１縦框Ｄ１の側面、および、第２縦框Ｄ２の側面に案内溝が形成され、第１縦ユニットフレーム１３１、および、第２縦ユニットフレーム１３２に案内部材が取り付けられてもよい。
【００９４】
・カム２４の有する摺動部の形状は、換気扉Ｗが開動するときにストライカピン２５Ｓが摺動する部分と、換気扉が閉動するときにストライカピン２５Ｓが摺動する部分とを、各別に備えてもよい。例えば、換気扉が閉動するときにストライカピン２５Ｓが摺動する部分は、上述した開位置案内溝２４Ａと閉位置案内溝２４Ｂとから構成される。一方で、換気扉Ｗが開動するときにストライカピン２５Ｓが摺動する部分は、開位置案内溝２４Ａの端部と閉位置案内溝２４Ｂの端部とを繋ぎ、かつ、ストライカピン２５Ｓの回転する軌跡に沿った曲線形状を有してもよい。こうした構成であっても、換気扉Ｗの閉動に際しては、上記（１）から（４）に準じた効果が得られる。また、換気扉Ｗの開動に際しては、カム２４の移動が抑えられるため、換気扉Ｗの制動は解除されて、ほぼ一定の付勢力がカム２４に加えられる。
【００９５】
・付勢部材、および、制動部材を収容するケースの取り付けられる位置は、第２横ユニットフレーム１５に限らず、扉体であってもよい。さらに、付勢部材、カム、および、制動部材が、第２横ユニットフレーム１５の収容空間１５Ｖに収容されて、ケースが割愛されてもよい。
【００９６】
・ストライカピン２５Ｓと第２回転軸２５Ａとは、相互に異なる方向に沿って延びる形状を有していてもよい。例えば、第２回転軸２５Ａは、縦方向に沿って延びる形状を有する一方で、ストライカピン２５Ｓは、縦方向と直交する方向に沿って延びる形状を有していてもよい。
【００９７】
この際に、カムの備える摺動部は、カムの受ける付勢力を、ストライカピン２５Ｓの回転する方向であって、換気扉を開位置、および、閉位置に保持する方向に変換する形状を有していればよい。
【００９８】
・ストライカ２５において、ストライカ２５の本体部と第２回転軸２５Ａとは相互に異なる部材であって、ストライカ２５の本体部に第２回転軸２５Ａがねじ止めされる構成であってもよい。
【００９９】
・換気扉の開閉機構２０の備える付勢部材は、コイルばね２３に限らず、板ばねであってもよいし、ねじりばねであってもよい。要するに、付勢部材は、換気扉を開位置、および、閉位置に保持するための付勢力をカムに加える機能を有していればよい。
【０１００】
・換気扉の開閉機構２０の備える制動部材は、オイルダンパーやエアダンパーなどのシリンダーダンパーに限らず、ロータリーダンパーであってもよい。要するに、制動部材は、付勢力に従って動くカムの速度にほぼ比例する抵抗力をカムに加える機能を有していればよい。
【０１０１】
・第１扉キャップ１２から開動係止壁１２Ｓ１が割愛されてもよいし、第１扉キャップ１２から閉動係止壁１２Ｓ２が割愛されてもよい。さらに、第１横ユニットフレーム１１から第１回転係止部１１Ｂが割愛されてもよい。
【０１０２】
・第２扉キャップ１４から開動係止壁１４Ｓ１が割愛されてもよいし、第２扉キャップ１４から閉動係止壁１４Ｓ２が割愛されてもよい。さらに、第２横ユニットフレーム１５から第２回転係止部１５Ｂが割愛されてもよい。
【０１０３】
・換気扉の開閉機構２０は、縦方向において換気扉Ｗの両端部に設けられてもよい。この際に、第１横ユニットフレーム１１に代えて、第２横ユニットフレーム１５が採用される。
・ユニットフレームＦや扉フレームＦＧの有する形状は、矩形枠形状に限らず、例えば、円形枠形状や楕円枠形状であってもよい。
・仕切板Ｇは、光を透過する透過性を有した採光板であってもよいし、光の透過を遮断する遮光板であってもよいし、光を反射する反射板であってもよい。
・内装扉Ｄの備える換気ユニット１０の数は、１つであってもよいし、２つ以上であってもよい。
【０１０４】
・内装扉Ｄの備える換気ユニット１０は、縦方向に沿って延びる形状に限らず、横方向に沿って延びる形状を有してもよい。また、換気ユニットにおける縦方向は、鉛直方向であってもよいし、水平方向であってもよい。
・換気扉の開閉機構を備える扉体は、内装扉に限らず外装扉であってもよく、開き戸に限らず引き戸や折り戸であってもよい。
【符号の説明】
【０１０５】
Ｄ…内装扉、Ｆ…ユニットフレーム、Ｇ…仕切板、Ｈ…換気孔、Ｗ…換気扉、Ｄ１…第１縦框、Ｄ２…第２縦框、Ｆ１…第１扉縦フレーム、Ｆ２…第２扉縦フレーム、ＦＧ…扉フレーム、１０…換気ユニット、１１…第１横ユニットフレーム、１１Ａ…第１回転軸、１１Ｂ…第１回転係止部、１１Ｐ…第１軸支板部、１１Ｓ…第１軸支面、１２…第１扉キャップ、１２Ａ，１４Ａ…軸支筒部、１２Ｆ，１４Ｆ…連結筒部、１２Ｇ，１４Ｇ…軸支片、１２Ｈ，１４Ｈ…軸支孔、１２Ｐ，１４Ｐ…被覆板部、１２Ｓ１，１４Ｓ１…開動係止壁、１２Ｓ２，１４Ｓ２…閉動係止壁、１４…第２扉キャップ、１５…第２横ユニットフレーム、１５Ｂ…第２回転係止部、１５Ｃ…弾性キャップ、１５Ｆ…外装プレート、１５Ｈ…軸挿通孔、１５Ｐ…第２軸支板部、１５Ｖ…収容空間、１５Ｓ…第２軸支面、２０…換気扉の開閉機構、２１…ケース、２２…カバー、２３…コイルばね、２４…カム、２４Ａ…開位置案内溝、２４Ｂ…閉位置案内溝、２４Ｃ…底面、２４Ｈ…保持部、２４Ｐ…当接面、２４ＳＡ…開側端面、２４Ｂ…閉側端面、２５…ストライカ、２５Ａ…第２回転軸、２５Ｂ…ガイドピン、２５Ｓ…ストライカピン、２６…ダンパー、２６Ｐ…ダンパーピン、１３１…第１縦ユニットフレーム、１３２…第２縦ユニットフレーム、２１３…ばね支持部、２１４…カムガイドリブ、２１５Ａ…軸挿通孔、２１５Ｂ…ガイド孔、２１６…ダンパー係止爪。
【図１】
2015175150.tif 000003
【図２】
2015175150.tif 000004
【図３】
2015175150.tif 000005
【図４】
2015175150.tif 000006
【図５】
2015175150.tif 000007
【図６】
2015175150.tif 000008
【図７】
2015175150.tif 000009
【図８】
2015175150.tif 000010
【図９】
2015175150.tif 000011
【図１０】
2015175150.tif 000012
【図１１】
2015175150.tif 000013
【図１２】
2015175150.tif 000014
【図１３】
2015175150.tif 000015
【図１４】
2015175150.tif 000016
【図１５】
2015175150.tif 000017
【図１６】
2015175150.tif 000018
【図１７】
2015175150.tif 000019
【図１８】
2015175150.tif 000020